(57)【要約】【課題】  複数のデコーダを備えたデジタル放送受信装置において、番組録画を開始したときや、その後視聴するサービスを切り換える際に、デコーダ等の切り換えによる画音の途切れをなくすようにする。【解決手段】  少なくとも２つのデコーダを持つデジタル放送受信装置において、通常視聴状態において、２つのデコーダに対し同じ番組への選局を行い、２つのデコーダのうち第１デコーダの出力は視聴用、第２デコーダの出力は録画用に割り当てておくようにする。利用者等からの録画指示を検出すると、第２デコーダの録画用出力を固定した状態へと遷移し、この状態で視聴用出力の選局要求がある場合には、第１デコーダのみ選局可能な構成とする。【選択図】        図２
2006165893.tif 000002
【特許請求の範囲】
【請求項１】
通常視聴状態において多チャンネルデジタル放送から特定チャンネルの番組を受信する第１受信手段と、
前記第１受信手段で受信されたデジタル放送の符号化信号を復号し、復号した信号を視聴用信号として出力する第１復号手段と、
前記通常視聴状態において前記多チャンネルデジタル放送から前記特定チャンネルのデジタル放送を受信する第２受信手段と、
前記第２受信手段で受信されたデジタル放送の符号化信号を復号し、復号した信号を録画用信号として出力する第２復号手段と
を備えたことを特徴とするデジタル放送受信装置。
【請求項２】
前記通常視聴状態において前記第２復号手段から出力された前記録画用信号を対象とする録画命令を受信した場合、前記録画用信号の出力を固定する制御手段を有し、
前記制御手段は、前記録画用信号の出力を固定した状態において前記第１復号手段から出力された前記視聴用信号に対する切り換え命令を受信した場合、前記切り換え命令に基づいて前記第１受信手段に対して受信する番組を切り換えるよう指示する
ことを特徴とする請求項１に記載のデジタル放送受信装置。
【請求項３】
前記制御手段は、前記通常視聴状態において前記第１復号手段から出力された前記視聴用信号に対する切り換え命令を受信した場合、前記切り換え命令に基づいて前記第１及び第２受信手段に対して受信する番組を切り換えるよう指示する
ことを特徴とする請求項２に記載のデジタル放送受信装置。
【請求項４】
前記視聴用信号が供給される表示手段が多画面表示機能を有する場合、前記第２復号手段から前記録画用信号に加えて視聴用信号を出力する
ことを特徴とする請求項１〜３のいずれか１項に記載のデジタル放送受信装置。
【請求項５】
前記第１復号手段と前記第２復号手段の仕様が異なる
ことを特徴とする請求項１〜４のいずれか１項に記載のデジタル放送受信装置。
【請求項６】
通常視聴状態において多チャンネルデジタル放送から特定チャンネルの番組を受信する第１受信手段と、前記第１受信手段で受信されたデジタル放送の符号化信号を復号し、復号した信号を視聴用信号として出力する第１復号手段と、前記通常視聴状態において前記多チャンネルデジタル放送から前記特定チャンネルのデジタル放送を受信する第２受信手段と、前記第２受信手段で受信されたデジタル放送の符号化信号を復号し、復号した信号を録画用信号として出力する第２復号手段とを備えたデジタル放送受信装置によるデジタル放送受信制御方法であって、
前記通常視聴状態において前記第２復号手段から出力された前記録画用信号を対象とする録画命令が行われた場合、前記録画用信号の出力を固定し、
前記録画用信号の出力が固定された状態において前記第１復号手段から出力された前記視聴用信号に対する切り換え命令が行われた場合、前記切り換え命令に基づいて前記第１受信手段にて受信する番組を切り換える
ことを特徴とするデジタル放送受信制御方法。
【請求項７】
前記通常視聴状態において前記第１復号手段から出力された前記視聴用信号に対する切り換え命令が行われた場合、前記切り換え命令に基づいて前記第１及び第２受信手段にて受信する番組を切り換える
ことを特徴とする請求項６に記載のデジタル放送受信制御方法。
【発明の詳細な説明】
【技術分野】
【０００１】
本発明は、デジタル放送受信装置及びデジタル放送受信制御方法に関し、特に複数のデコーダを備えるデジタル放送受信装置及びこの受信装置によるデジタル放送受信制御方法に関する。
【背景技術】
【０００２】
従来、デコーダを一つしか持たないデジタル放送受信装置の場合は、一つのサービス（デジタル放送番組）を視聴する際に、受信したデジタル放送番組の符号化信号を一つのビデオ（映像）デコーダ及びオーディオ（音声）デコーダでデコードし、デコードした信号を視聴用の出力と録画用の出力に分岐している。このデジタル放送受信装置の延長上に、デコーダを二つ備えるいわゆるデュアルデコード型のデジタル放送受信装置があるが、この場合でも、一つのサービスを視聴する際は、受信したデジタル放送番組の符号化信号を一つのデコーダでデコードし、それを視聴用の出力と録画用の出力に分岐するようにしている。
【０００３】
以下、従来のデジタル放送受信装置について、図面に基づいて具体的に説明する。
図３は、従来のデジタル放送受信装置のブロック構成の一例を示したものである。図３において、１０１は受信手段であり、フロントエンド１０２，１０３を備えている。フロントエンド１０２は、地上デジタル放送（以下、「地上波」という。）用アンテナにて受信した多チャンネルの地上波に対応し、フロントエンド１０３は、ＢＳ（Broadcasting Satellite）／ＣＳ（Communications Satellite）デジタル放送（以下、「ＢＳ／ＣＳ」という。）用アンテナに対応するものである。それぞれが、受信した多チャンネルの地上波、又は受信した多チャンネルのＢＳ／ＣＳから１チャンネルを選局し画像処理可能な信号に復調する。受信手段１２１もフロントエンド１２２，１２３を備え、上記受信手段１０１と同様の機能を有している。
【０００４】
また、選択手段１１４は、スイッチ１０４及びスイッチ１２４を備えており、ユーザの指示に基づいて地上波とＢＳ／ＣＳを切り換えて選択する。この例では、スイッチ１０４は地上波フロントエンド１０２を選択し、スイッチ１２４は使用されていない状態となっている。
【０００５】
また、デスクランブラ１０５及び１２５は、ＩＣカード部の鍵情報を利用してスクランブルを解除する装置である。多重分離手段１０６及び１２６は、スクランブルが解かれたデジタル放送のストリームデータから音声信号、映像信号、字幕・文字スーパー情報、電子番組表（ＥＰＧ；Electric Program Guide）情報、制御信号等を抽出するものである。音声／映像デコーダ１０７及び１２７は、多重分離手段１０６及び１２６で抽出された音声及び映像の符号化信号をデコードする装置である。グラフィックス１０８及び１２８は、後述するＣＰＵから伝送される字幕・文字スーパーの処理を行なうものである。このグラフィックス１０８及び１２８としては、多重分離手段１０６及び１２６から字幕・文字スーパー情報を直接受信して所定の処理を行うものもある。また、加算手段１０９及び１２９は、それぞれ音声／映像デコーダ１０７及び１２７から出力される映像信号にグラフィックス１０８及び１２８から出力される字幕・文字スーパー情報を重畳するためのものである。
【０００６】
表示レイアウト手段１１０は、音声／映像デコーダ１０７及び１２７からの音声信号、及び加算手段１０９及び１２９からの字幕・文字スーパー情報が重畳された映像信号を、視聴用として接続される表示手段（図示略）の表示形態に合わせて出力する手段である。この表示レイアウト手段１１０によれば、例えば、不図示の表示手段が多画面表示機能を備える場合であっても、表示手段が１画面モードのときはいずれか片方の映像が表示されるようにレイアウトし、２画面モードのときは両方の映像をそれぞれ表示画面上に表示して２画面表示となるようにレイアウト制御を行うことができる。また、グラフィックス１１１は２画面（又は多画面）表示の際に字幕・文字スーパー等の配置を制御するためのものである。
【０００７】
また、音声／映像デコーダ１０７からの音声信号及び加算手段１０９から出力される字幕・文字スーパー情報が重畳された映像信号は、録画用として切換手段１１５を介して図示しない録画機器に出力される。切換手段１１５は、スイッチ１１６及び１１７を備え、ユーザの指示に応じて、スイッチ１１６及び１１７を音声／映像デコーダ１０７側又は音声／映像デコーダ１２７側に切り換え、録画用出力を録画機器に供給する。そして、録画機器に入力された録画用の信号は、図示しない不揮発性の記録手段に録画データとして記録される。
【０００８】
ＩＣカード部１３１には、ＣＡ（Conditional Access）システム等の限定受信方式におけるスクランブルを解くための鍵情報が記録されている。モデム１３２は、例えば有料放送サービスにおいて放送事業者にユーザの個人情報や課金に係わる情報を送る際、このモデムから電話回線等を通じてインターネットへアクセスし情報の双方向通信を行うための装置である。ＣＰＵ（Central Processing Unit）１３３は、ＲＯＭ（Read Only Memory）１３４等に記録されたプログラムに従ってデコーダの切り換え制御を行うなど、デジタル放送受信装置全体の制御を司る制御手段である。ＲＡＭ（Random Access Memory）１３５はＣＰＵ１３３の作業領域として機能するメモリであり、不揮発メモリ１３６は、例えば電源投入前の最後に視聴者が視聴していたチャンネル番号等を記憶するためのメモリである。
【０００９】
これらＩＣカード部１３１、モデム１３２、ＣＰＵ１３３、ＲＯＭ１３４、ＲＡＭ１３５、不揮発メモリ１３６は、バス（制御ライン）１３０によって相互にデータ通信が可能に接続されている。また、バス１３０には、受信手段１０１及び１２１の各フロントエンド１０２，１０３，１２２，１２３、デスクランブラ１０５及び１２５、多重分離手段１０６及び１２６、音声／映像デコーダ１０７及び１２７、グラフィックス１０８及び１２８、表示レイアウト手段１１０、グラフィックス１１１が接続されており、ＣＰＵ１３３はバス１３０を通じて上記各部を制御するようにしている。
【００１０】
上述した図３のデジタル放送受信装置において、受信手段１０１、デスクランブラ１０５、多重分離手段１０６、音声／映像デコーダ１０７と流れる系統をＡ系、受信手段１２１、デスクランブラ１２５、多重分離手段１２６、音声／映像デコーダ１２７と流れる系統をＢ系、として以下説明する。図３では、受信手段１０１、デスクランブラ１０５、多重分離手段１０６、音声／映像デコーダ１０７を通って受信されたサービス、すなわちＡ系のサービスを、視聴用の出力と録画用の出力に分岐している。
【００１１】
図３に示す状態において、ユーザが受信されたサービスを録画したいと思ったタイミングで、音声／映像デコーダ１２７から録画用の映像と音声を録画用出力端子に出力し、これと接続している録画機器（例えば、ビデオレコーダ等）に記録する。このとき、録画出力側は、録画が終わるまで、映像と音声を別のサービスや別のストリームデータに切り換えないようにしなければならないという、商品仕様的な状態変化の制限が生じることになる。この状態で、ユーザが同じデジタル放送で録画していないサービスを視聴したいと考え、サービスやストリームデータを切り換えた場合には、Ａ系のデコーダを切り離す処理を行わなければならない。
【００１２】
つまり、図３において、スイッチ１２４を切り換えて地上波フロントエンド１２１とデスクランブラ１２５を接続し、音声／映像デコーダ１２７で録画していない（切り換えようとした）サービスのデコードを行う必要が生じる。そして、表示レイアウト手段１１０では、音声／映像デコーダ１０７の画音（映像及び音声）を表示していたものを、音声／映像デコーダ１２７の画音を出力するように切り換えなければならなくなる。この場合は視聴するサービスの切り換えと、デバイスの繋ぎ変えのタイミングが同じため、商品仕様的に特別な問題は生じない。
【００１３】
また、表示中の番組とは異なる番組を記録することができるとともに、これらの番組を、番組表を用いて簡便に選択して番組表示や番組記録を行なうことができるデジタル放送受信装置が提案されている（例えば、特許文献１を参照。）。
【特許文献１】特開平１１−１８０２０号公報
【発明の開示】
【発明が解決しようとする課題】
【００１４】
ところで、デジタル放送の場合、一つのサービス内に複数の音声や映像の信号が含まれている番組もある。このようなデジタル放送番組の録画を行っている状態で、例えば２ヶ国語放送などのように視聴しているチャンネルは変えないが日本語から英語に音声を切り換えるといった操作を行うタイミングでも、音声／映像デコーダ内の音声デコーダの切り換えを行わなければならない状況が生じる。このとき、切り換えの制御方法によっては、幾つかの問題が生じる。
【００１５】
例えば、このタイミングで音声／映像デコーダ１０７と音声／映像デコーダ１２７の両方を切り換えると、本来連続的に見えるべき視聴中の表示が、例えば一秒間などの時間途切れることになる。その他にも、音声／映像デコーダ１０７の音声デコーダの出力のみ視聴用出力と録画用出力に分岐していたものを、二つの音声／映像デコーダ１０７，１２７内の音声デコーダを使用する様に切り換えると、視聴中の画面が途切れることはないが、信号の流れとして、映像信号が一つの音声／映像デコーダ１０７の映像デコーダから分岐され、音声信号が二つの音声デコーダで別々にデコードされるという状態になり、それを制御するソフトウェア構造も複雑になる。
【００１６】
また、別の制御方法として、受信されたサービスを録画し始めるタイミングで、録画側のデコーダの繋ぎ変えを行うことが考えられる。図４は、この制御方法を説明するためのデジタル放送受信装置の状態遷移図を示したものである。また、図５は、デジタル放送受信装置内のデコーダの切り換えの状態を模式的に表した状態遷移図である。図５において、メイン信号１４１は視聴用に出力される信号であり、サブ信号１６１は録画用に出力される信号を表している。
【００１７】
図４において、「電源投入」状態（Ｓ１００）では、Ａ系の音声／映像デコーダ１０７の出力を視聴用出力と録画用出力に分配し、Ｂ系の音声／映像デコーダ１２７は使用しない。電源投入時の設定が終了すると、「通常視聴」状態（Ｓ１０１）に遷移する（図５参照）。「通常視聴」状態における、ユーザの視聴目的の選局要求に対しては、Ａ系の音声／映像デコーダ１０７のみが選局される。音声／映像デコーダ１０７の出力がメイン信号１４１（視聴用）とサブ信号１６１（録画用）に分配されているので、視聴用出力にも録画用出力にも、同じサービスが受信されている。ここで、ユーザが録画用出力に出力されているサービスを記録したいと考えたときに、ユーザはデジタル放送受信装置のユーザインターフェースを介して、録画用出力を固定する要求を伝える。この要求により、デジタル放送受信装置は「録画用出力固定開始」状態（Ｓ１０２）に遷移する。
【００１８】
また、デジタル放送受信装置は、Ａ系の音声／映像デコーダ１０７を視聴用と録画用の出力に分配していたので、録画用のサブ信号１６１を切り離し、Ｂ系の音声／映像デコーダ１２７をＡ系の音声／映像デコーダ１０７と同じ選局状態にして、これを録画用出力としてサブ信号１６１に割り当てる。この処理が終了したら「録画中による録画用出力固定」状態（Ｓ１０３）へ遷移する（図５参照）。
【００１９】
「録画中による録画用出力固定」状態（Ｓ１０３）における、ユーザの視聴目的の選局要求に対しては、Ａ系の音声／映像デコーダ１０７のみが選局される。音声／映像デコーダ１０７は視聴用の出力にしか接続されていないため、録画用出力の受信状態を途切れさせずに視聴するサービスを切り換えることができる。ユーザが録画用出力に出力されているサービスの録画を終了させたいと考えた場合には、ユーザはデジタル放送受信装置のユーザインターフェースを介して録画用出力固定解除の要求を行うようにする。この要求により、デジタル放送受信装置は「録画用出力固定終了」状態（Ｓ１０４）に遷移することになる。
【００２０】
また、デジタル放送受信装置は、音声／映像デコーダ１０７から録画用出力を切り離し、Ａ系の音声／映像デコーダ１０７の出力をメイン信号１４１（視聴用出力）とサブ信号１６１（録画用出力）に分配し、音声／映像デコーダ１２７の使用を停止する。上記処理が終了したら「通常視聴」状態（Ｓ１０１）へ遷移する。複数のデコーダを持つデジタル放送受信装置は、このような状態遷移及び処理を行ない、通常の視聴状態（Ｓ１０１）と、録画機器への録画の為に録画用に出力するサービスを固定しながら視聴する状態（Ｓ１０２〜Ｓ１０４）を行ったり来たりする。
【００２１】
図４の状態遷移では、「録画用出力固定開始」状態（Ｓ１０２）に遷移したタイミングで、音声／映像デコーダ１０７の切り換えが開始されるため録画側の画音が途切れることになる。
【００２２】
例外として、デジタル放送受信装置に対して録画出力固定の操作を行った後、録画を始める場合や、外部に接続された録画機器の状態をデジタル放送受信装置が感知し、録画機器が録画状態になった途端に「録画用出力固定開始」状態（Ｓ１０２）とする手段を備えた録画機器の場合には、上述した画音の途切れは問題にはならない。
【００２３】
しかしながら、一般的なビデオテープレコーダ、ハードディスクビデオレコーダ、ビデオディスクレコーダ等、さまざまな種類の録画機器に対し、デジタル放送受信装置の録画用信号を出力して録画を行う場合、録画機器に対する操作によって録画を行うと、デジタル放送受信装置側は録画されていることを判断することができない。つまり、「通常視聴」状態のまま録画機器側で録画が開始されることがある。このときに、ユーザが録画機器に録画をしているのでデジタル放送受信装置の録画出力を固定したいと考え、デジタル放送受信装置に対して「録画用出力固定開始」に遷移する操作を行った場合、このタイミングで、録画側の画音が途切れてしまうという問題があった。
【００２４】
本発明は斯かる点に鑑みてなされたものであり、複数のデコーダを備えたデジタル放送受信装置において、番組録画を開始したときや、その後視聴するサービスを切り換える際などに、デコーダ等の切り換えによる画音の途切れを無くすことを目的とする。
【課題を解決するための手段】
【００２５】
上記課題を解決して目的を達成するため、本発明は、通常視聴状態において多チャンネルデジタル放送から特定チャンネルの番組を受信する第１受信手段と、その第１受信手段で受信されたデジタル放送の符号化信号を復号し、復号した信号を視聴用信号として出力する第１復号手段と、上記通常視聴状態において上記多チャンネルデジタル放送から上記特定チャンネルのデジタル放送を受信する第２受信手段と、その第２受信手段で受信されたデジタル放送の符号化信号を復号し、復号した信号を録画用信号として出力する第２復号手段とを備えたことを特徴とする。
【００２６】
斯かる本発明によれば、通常視聴状態のときから、二つの復号手段に対し同じ番組への選局を行い、それぞれ視聴用と録画用の出力に割り当てておくことにより、例えば番組録画を開始した時や、その後録画しているものと違う番組を視聴するために番組を切り換える際に、そのタイミングで復号手段を繋ぎ変える処理が不要となる。
【発明の効果】
【００２７】
本発明によれば、通常視聴状態のときから、二つ（複数）の復号手段（デコーダ）に対し同じ番組への選局を行い、それぞれ視聴用と録画用の出力に割り当てておくことにより、番組録画を開始した時や、その後録画しているものと違う番組を視聴するために番組を切り換える際、そのタイミングで復号手段を繋ぎ変える処理が必要無くなる。これにより、デコーダの系を切り換えることにより生じる画音の途切れを無くすことができるという効果がある。
【００２８】
また、第１及び第２のデコーダのうち一つは視聴用、もう一つは録画出力用と用途が固定されるため、第１のデコーダと第２のデコーダの仕様を異なるものとすることができる。したがって、保守性や品質管理、コストの面で非常に有益であるという効果がある。
【発明を実施するための最良の形態】
【００２９】
以下、本発明の一実施の形態の例について、図１及び図２を参照しながら説明する。
【００３０】
図１は、本発明の一実施の形態によるブロック構成を示す図である。図１では、２つ（又は複数）のデコーダを持つデジタル放送受信装置において、外から見える受信装置の動作として、１つのサービスを視聴している状態でも、２つ（又は複数）のデコーダで同じサービスをデコードし、視聴用の出力と、録画用の出力に、それぞれ別のデコーダの出力を割り当てるように構成している。図１に示す本例の構成と図３の従来例との異なる点は、図１の一方のデコーダは視聴用に、他方のデコーダは録画用に割り当てられており、従来例にあった切換手段１１５が削除されている点である。
【００３１】
図１において、受信手段１は、フロントエンド２，３を備える。フロントエンド２は、地上デジタル放送用アンテナにて受信した多チャンネルの地上デジタル放送（以下、「地上波」と称する。）から１チャンネルを選局し画像処理可能な信号に復調するものであり、フロントエンド３は、ＢＳ／ＣＳデジタル放送用アンテナにて受信した多チャンネルのＢＳ／ＣＳデジタル放送（以下、「ＢＳ／ＣＳ」と称する。）から１チャンネルを選局し同様な処理を行うものである。受信手段２１もフロントエンド２２，２３を備え、上記受信手段１と同様の機能を有する。復調されたデジタル放送のストリームデータは、選択手段１４を介してデスクランブラ５，２５に送出される。
【００３２】
選択手段１４は、スイッチ４及びスイッチ２４を備えており、ユーザの指示に基づいて地上波とＢＳ／ＣＳを切り換えて選択する手段である。この例では、スイッチ４は地上波フロントエンド２を選択し、スイッチ２４も地上波フロントエンド２２を選択している状態である。デスクランブラ５及び２５は、ストリームデータのスクランブル解除手段として機能する装置であり、スクランブルを解いたストリームデータを多重分離手段６，２６に送出する。また、多重分離手段６及び２６は、スクランブルが解かれたデジタル放送のストリームデータから音声信号、映像信号、字幕・文字スーパー情報、電子番組表（ＥＰＧ；Electric Program Guide）情報、制御信号等を抽出する手段である。
【００３３】
また、音声／映像デコーダ７及び２７は、デコード（復号）手段として機能するものであり、多重分離手段で抽出された音声及び映像の符号化信号をデコード（復号）する。そして、音声／映像デコーダ７の音声信号及び後述する加算手段９にて字幕・文字スーパー情報が重畳された映像信号は、視聴用として表示レイアウト手段１０へと入力される。一方、音声／映像デコーダ２７の音声信号及び後述する加算手段２９にて字幕・文字スーパー情報が重畳された映像信号は、録画用として図示しない録画機器に出力されるか、あるいは視聴用として表示レイアウト手段１０へと入力される。加算手段９及び２９は、音声／映像デコーダから出力される映像信号にグラフィックス８及び２８から出力される字幕・文字スーパー情報を重畳するものである。
【００３４】
視聴用として表示レイアウト手段１０と接続する表示手段（図示略）が、２（多）画面表示のときは、音声／映像デコーダ２７から表示レイアウト手段１０へ視聴用信号が送出され、１画面表示のときは表示レイアウト手段１０内で信号を消すか又は切換手段を設けて表示レイアウト手段１０への信号の入力を制御するようにしてもよい。録画機器に入力された録画用の信号は、図示しない不揮発性の記録手段に録画データとして記録される。
【００３５】
上記音声／映像デコーダ７及び２７は、音声デコーダと映像デコーダが一体構成とされたものとしているが、別個のものとしてもよい。グラフィックス８及び２８は後述するＣＰＵから伝送される字幕・文字スーパーの処理を行う装置である。このグラフィックス８及び２８は、多重分離手段から字幕・文字スーパー情報を直接受信して所定の処理を行うように構成してもよい。
【００３６】
表示レイアウト手段１０は、音声／映像デコーダ７及び２７からの音声信号、及び字幕・文字スーパー情報等が重畳された映像信号を、視聴用として接続される表示手段の表示形態に合わせて出力する。例えば、表示手段が多画面表示機能を備える場合、表示手段が１画面モードのときはいずれか片方の映像が表示されるようにレイアウトし、２画面モードのときは両方の映像をそれぞれ表示画面上に表示して２画面表示となるようにレイアウト制御を行う。グラフィックス１１は２画面（又は多画面）表示の際に字幕・文字スーパー等の配置を制御する装置である。
【００３７】
視聴用信号の出力先は、例えばＣＲＴ（Cathode Ray Tube）ディスプレイ、プラズマディスプレイ、液晶ディスプレイ、スピーカ、ヘッドホン等の視聴用デバイスである。また録画用信号の出力先は、外部機器に記録するためのコンポジット映像端子、コンポーネント映像端子、Ｄ映像端子、i.LINK（登録商標）端子等の出力端子が挙げられる。録画用出力は、録画用出力端子に接続された録画機器に入力され、図示しないハードディスクやＤＶＤなど不揮発性の記録手段に録画データが記録される。
【００３８】
ＩＣカード部３１は、ＣＡシステム等の限定受信方式におけるスクランブルを解くための鍵情報が記録されており、デスクランブラ５及び２５は、このＩＣカード部３１から供給される鍵情報を用いて受信したデジタル放送番組のスクランブルを解くことが可能になっている。モデム３２は、例えば有料放送サービスにおいて放送事業者にユーザの個人情報や課金に係わる情報を送る際、このモデム３２から電話回線等を通じてインターネットへアクセスし情報の双方向通信を行なう通信手段として機能する。ＣＰＵ３３は、ＲＯＭ３４等に記録されたプログラムに従ってデコーダの切り換え制御、受信手段でチャンネル選択、選択手段での放送選択等、デジタル放送受信装置全体の制御を司る制御手段である。ＲＡＭ３５は、ＣＰＵ３３の作業領域として機能するメモリである。不揮発メモリ３６は、例えば電源投入前の最後に視聴者が視聴していたチャンネル番号等を記憶するメモリである。
【００３９】
これらＩＣカード部３１、モデム３２、ＣＰＵ３３、ＲＯＭ３４、ＲＡＭ３５、不揮発メモリ３６は、バス（制御ライン）３０によって相互にデータ通信が可能に接続されている。また、バス３０には、受信手段１及び２１の各フロントエンド２，３，２２，２３、デスクランブラ５及び２５、多重分離手段６及び２６、音声／映像デコーダ及び２７、グラフィックス８及び２８、表示レイアウト手段１０、グラフィックス１１が接続されており、ＣＰＵ３３はバス３０を通じて上述した各部を制御するよう構成されている。
【００４０】
図１のデジタル放送受信装置において、受信手段１、デスクランブラ５、多重分離手段６、音声／映像デコーダ７と流れる系統をＡ系、受信手段２１、デスクランブラ２５、多重分離手段２６、音声／映像デコーダ２７と流れる系統をＢ系として以下説明する。図１では、原則として、Ａ系の音声／映像デコーダ７の出力が視聴用に、Ｂ系の音声／映像デコーダ２７の出力が録画用に割り当てられている。また、図１の状態は、Ａ系の音声／映像デコーダ７を通って受信されたサービスを視聴用に出力し、Ｂ系の音声／映像デコーダ２７を通って受信されたサービスを録画用に出力している状態を表している。この状態において、ユーザが明示的に番組の録画を実行しようと思っていない状況でも、２つ（複数）の音声／映像デコーダを使用して、予め視聴用と録画用で別の信号の流れが用意されている。
【００４１】
次に、本例のデジタル放送受信装置の動作について図２に基づいて説明する。
図２は、上述したデジタル放送受信装置の「通常視聴」と、「録画中による録画用出力固定」の状態遷移図を示したものである。図２において、「電源投入」状態（Ｓ０）では、Ａ系とＢ系ともに同じデジタル放送番組を受信して、Ａ系の音声／映像デコーダ７を視聴用に、Ｂ系の音声／映像デコーダ２７を録画用に接続し、この電源投入時の設定が終了することにより、「通常視聴」状態（Ｓ１）に遷移する。「通常視聴」状態時にユーザの選局操作などによってサービスの切り換えが生じた場合は、図２におけるＡ系の音声／映像デコーダ７と、Ｂ系の音声／映像デコーダ２７を同時に同じ目的のサービスに選局する。
【００４２】
ここで、ユーザが録画用出力に出力されているサービスを記録したいと考えたとき、ユーザはデジタル放送受信装置のユーザインターフェースを介して、録画命令を行う。このときＣＰＵ３３は、利用者からの録画命令、すなわち録画用出力固定命令を受信して、デジタル放送受信装置を「録画用出力固定開始」状態（Ｓ２）に遷移させる。この状態では、Ａ系の音声／映像デコーダ７とＢ系の音声／映像デコーダ２７に対して特に操作は行わず、このまま「録画中による録画用出力固定」状態（Ｓ３）へ遷移する。
【００４３】
また、「録画中による録画用出力固定」状態（Ｓ３）における、ユーザの視聴目的の選局要求に対して、ＣＰＵ３３が利用者からの番組切り替え命令（視聴用出力の選局命令）を受信し、Ａ系の音声／映像デコーダ７に対してのみ選局指示を出す。このとき、音声／映像デコーダ７は視聴用の出力にしか接続されていないため、視聴するサービスを切り換えることにより、録画用出力の受信状態を途切れさせることはない。ユーザが録画用出力に出力されているサービスの録画を終了させたいと考えた場合には、ユーザはデジタル放送受信装置のユーザインターフェースを介して録画用出力固定解除の要求を行う。この要求により、デジタル放送受信装置は「録画用出力固定終了」状態（Ｓ４）に遷移する。
【００４４】
デジタル放送受信装置は、Ｂ系の音声／映像デコーダ２７の選局状態とＡ系の音声／映像デコーダ７の選局状態が異なっている場合は、Ｂ系の選局状態をＡ系の選局状態に合わせるように制御される。そして、上記処理が終了したら「通常視聴」状態へ遷移（Ｓ１）する。
【００４５】
本例では、従来技術（図３〜図５参照）の制御方法と異なり、サービスの録画を始めた時や、その後サービスを切り換える際に、そのタイミングでデコーダを繋ぎ変える処理を行う必要が無くなる。このため、デジタル放送受信装置としては「通常視聴」状態のまま、録画機器側の操作で、録画用出力の記録を行い、その後からデジタル放送受信装置に対して「録画用出力固定開始」の要求を行っても、録画用出力を途切れさせずに、「録画中による録画用出力固定」状態に遷移させることができる。
【００４６】
以上述べた実施の形態によれば、通常視聴状態のときから、二つ（複数）のデコーダに対し同じ番組への選局を行い、それぞれ視聴用と録画用の出力に割り当てておくことにより、番組録画を開始した時や、その後録画しているものと違う番組を視聴するためにサービスを切り換える際、そのタイミングでデコーダを繋ぎ変える処理を行う必要が無くなる。これにより、デコーダの系を切り換えることにより生じる画音の途切れを無くすことができる。
【００４７】
本例の場合、Ａ系及びＢ系の二つの音声／映像デコーダの一つは視聴用、もう一つは録画出力用と用途が固定されるため、Ａ系の音声／映像デコーダとＢ系の音声／映像デコーダのスペック（仕様・性能等）が等価でない場合、例えば、視聴用の音声／映像デコーダ出力は視聴画面に表示するための最適化が施されていて、Ｂ系の音声／映像デコーダの方にはそれがなされていない、という非対称な構成の複数デコーダを持つシステムでも実現できる。
【００４８】
例えば、デュアルデコード型のデジタル放送受信装置は、一般的に、視聴用信号を出力する映像デコーダはハイビジョン放送等の高精細テレビジョン放送（以下、「ＨＤ映像」と称する。）に対応し、一方、録画用信号を出力する映像デコーダはＮＴＳＣ等のテレビジョン放送（以下、「ＳＤ映像」と称する。）に対応させている。
【００４９】
一般に、映像デコーダは、入力されたビットストリームの映像信号を一時保存するバッファ部と、バッファ部から映像信号を呼び出す呼び出し部と、呼び出された映像信号を蓄積するメモリ部を備え、メモリ部に蓄積した映像信号を所定のタイミングでまとめて外部へ送出する構成となっている。デジタル放送番組の場合、映像デコーダへ入力される映像信号は、１０９０×１０８０画素のＨＤ映像であり、映像デコーダは視聴用に出力する場合にはそのまま同じ情報量、すなわちＨＤ映像を送出する。一方、録画用に出力する場合には、７２０×４８０画素のＳＤ映像にダウンコンバートして送出する。
【００５０】
ところが、従来例のように、Ａ系の音声／映像デコーダとＢ系の音声／映像デコーダの用途が限定されておらず、視聴用、録画用にもなりうる構成の場合、Ａ系とＢ系双方の音声／映像デコーダのスペックを合わせる必要がある。仮に、デジタル放送受信装置のデスクランブラ、多重分離手段、音声／映像デコーダを１チップで構成した場合、後から音声／映像デコーダのみを交換することは困難であり、Ａ系とＢ系のスペックを合わせることが重要になってくる。
【００５１】
上述した本発明の実施の形態のように、Ａ系とＢ系のデコーダのうち一方のデコーダを視聴用、他方のデコーダを録画用に割り当てるようにした場合、それぞれの特徴に特化した、等価でない非対称のデコーダでもデュアルデコード型のデジタル放送受信装置が実現できる。したがって、２つのデコーダのスペックを非対称とすることができるので、保守性や品質管理、コストの面で非常に有利である。
【００５２】
また、一方をＳＤ映像対応のデコードとした場合には、ＨＤ映像と比して情報量を抑えることができるため、メモリ部のメモリ容量が小さくてすみ、物理的にも小型化を図ることができる。さらに、映像信号の情報量が減るのでバンド幅を小さくでき、デコード内のメモリ部以下の信号ラインを細くすることができる。
【００５３】
なお、２画面表示手段は、一般的に、表示画面の左側画面を視聴用、同右側画面を録画用の番組内容を表示するようにレイアウトされ、左側画面はＨＤ映像を、右側画面はＳＤ映像を表示するような商品仕様となっているものが多い。したがって、図１に示すように音声／映像デコーダ２７から表示レイアウト手段１０に対してＳＤ映像が送出されても実用上何ら問題がない。
【００５４】
また、上述の実施の形態では、図３の従来例のように切換手段１１５で音声／映像デコーダ１０７と音声／映像デコーダ１２７の出力を動的に視聴用や録画用出力に切り換える必要が無くなるので、切換手段１１５が削除できる。これにより、デジタル放送受信装置の構成を簡略化、かつ、コストを削減することができる。
【００５５】
なお、一つのデジタル放送受信装置に複数の映像デコーダ、音声デコーダが存在しても、同種類の放送のＣＡシステムは、一つのみしか存在しないと考えられる。異なったＣＡシステムが一つずつ搭載される場合も考えられるが、同じシステムのものが二つ搭載される、つまり、デジタル放送受信装置に同じ種類のＩＣカードを２枚挿入し、それぞれのＩＣカードに対して解約手続き等を行わなければいけないような仕様の、一般ユーザ向けの商品は無いと考えられる。
【００５６】
このため、視聴対象のサービスにスクランブルがかかっている場合、これを解除するためにＣＡシステムからスクランブルを解除するための鍵を取得しなければならないが、同じサービスに対して２回ＣＡシステム（ＩＣカード）にアクセスに行くと、同じ鍵を２回取得するような動作になり、ＣＡシステムに不具合が生じる可能性がある。このため、ソフトウェア処理で、取得したい鍵が同じ場合はＣＡシステムには１度だけ鍵の取得を行い、これを二つのデスクランブラに分配するようにする。
【００５７】
また、本発明は上述した実施の形態の例に限られるものではなく、本発明の要旨を逸脱することなくその他種々の構成を取り得ることは勿論である。
【図面の簡単な説明】
【００５８】
【図１】本発明の一実施の形態によるデジタル放送受信装置の構成を示す図である。
【図２】本発明の一実施の形態の説明に供する状態遷移図である。
【図３】従来のデジタル放送受信装置の一例を示す図である。
【図４】従来例の説明に供する状態遷移図（その１）である。
【図５】従来例の説明に供する状態遷移図（その２）である。
【符号の説明】
【００５９】
１，２１…受信手段、４，２４…スイッチ、５，２５…デスクランブラ、６，２６…多重分離手段、７，２７…デコーダ、８，１１，２８…グラフィックス、１０…表示レイアウト手段、１４…選択手段、３０…バス、３１…ＩＣカード、３２…モデム、３３…ＣＰＵ、３４…ＲＯＭ、３５…ＲＡＭ、３６…不揮発メモリ
【図１】
2006165893.tif 000003
【図２】
2006165893.tif 000004
【図３】
2006165893.tif 000005
【図４】
2006165893.tif 000006
【図５】
2006165893.tif 000007